(57)【特許請求の範囲】
【請求項１】
ネットワークを介して接続するユーザ端末に対して部品情報を提供する部品情報提供サーバが、
販売対象部品の書誌データの入力を受け付けて記憶装置に記憶するステップと、
駆動部品である当該販売対象部品の駆動音をマイクで収集し、所定形式の音声データに変換し、当該音声データを数値データに変換して当該音声データ及び数値データを記憶装置に記憶するステップと、
前記販売対象部品に対応する新品部品の駆動音をマイクで収集し、所定形式の音声データに変換し、当該音声データを数値データに変換して当該音声データ及び数値データを記憶装置に記憶するステップと、
前記販売対象部品の駆動音の音声データ及び数値データ、前記新品部品の駆動音の音声データ及び数値データ、並びに前記書誌データを前記記憶装置から読み出し、前記数値データをグラフ化して表示させる記述と前記書誌データを表示させる記述と前記音声データを再生させる記述を含むデータファイルを作成してユーザ端末からのアクセスに対して提供するステップと
を実行する部品情報提供方法。
【請求項２】
ネットワークを介して接続するユーザ端末に対して部品情報を提供する部品情報提供サーバで実行されるプログラムであって、
販売対象部品の書誌データの入力を受け付けて記憶装置に記憶するステップと、
駆動部品である当該販売対象部品の駆動音をマイクで収集し、所定形式の音声データに変換し、当該音声データを数値データに変換して当該音声データ及び数値データを記憶装置に記憶するステップと、
前記販売対象部品に対応する新品部品の駆動音をマイクで収集し、所定形式の音声データに変換し、当該音声データを数値データに変換して当該音声データ及び数値データを記憶装置に記憶するステップと、
前記販売対象部品の駆動音の音声データ及び数値データ、前記新品部品の駆動音の音声データ及び数値データ、並びに前記書誌データを前記記憶装置から読み出し、前記数値データをグラフ化して表示させる記述と前記書誌データを表示させる記述と前記音声データを再生させる記述を含むデータファイルを作成してユーザ端末からのアクセスに対して提供するステップと
を前記部品提供サーバに実行させるためのプログラム。
【請求項３】
ネットワークを介して接続するユーザ端末に対して部品情報を提供する部品情報提供サーバで実行されるプログラムであって、
販売対象部品の書誌データの入力を受け付けて記憶装置に記憶するステップと、
駆動部品である当該販売対象部品の駆動音をマイクで収集し、所定形式の音声データに変換し、当該音声データを数値データに変換して当該音声データ及び数値データを記憶装置に記憶するステップと、
前記販売対象部品に対応する新品部品の駆動音をマイクで収集し、所定形式の音声データに変換し、当該音声データを数値データに変換して当該音声データ及び数値データを記憶装置に記憶するステップと、
前記販売対象部品の駆動音の音声データ及び数値データ、前記新品部品の駆動音の音声データ及び数値データ、並びに前記書誌データを前記記憶装置から読み出し、前記数値データをグラフ化して表示させる記述と前記書誌データを表示させる記述と前記音声データを再生させる記述を含むデータファイルを作成してユーザ端末からのアクセスに対して提供するステップと
をコンピュータに実行させるためのプログラムを格納したコンピュータ読取り可能な記録媒体。
【請求項４】
ネットワークを介して接続するユーザ端末に対して部品情報を提供する部品情報提供サーバであって、
販売対象部品の書誌データの入力を受け付けて記憶装置に記憶する書誌データ入力手段と、
駆動部品である当該販売対象部品の駆動音をマイクで収集し、所定形式の音声データに変換し、当該音声データを数値データに変換して当該音声データ及び数値データを記憶装置に記憶し、前記販売対象部品に対応する新品部品の駆動音をマイクで収集し、所定形式の音声データに変換し、当該音声データを数値データに変換して当該音声データ及び数値データを記憶装置に記憶する駆動音入力手段と、
前記販売対象部品の駆動音の音声データ及び数値データ、前記新品部品の駆動音の音声データ及び数値データ、並びに前記書誌データを前記記憶装置から読み出し、前記数値データをグラフ化して表示させる記述と前記書誌データを表示させる記述と前記音声データを再生させる記述を含むデータファイルを作成してユーザ端末からのアクセスに対して提供する提供手段と
からなる部品情報提供サーバ。
【請求項５】
前記販売対象部品がエンジンであり、前記エンジンの駆動音とともに排気ガス成分データの入力を受け付け、当該データを数値データに変換して記憶装置に記憶するステップをさらに有し、前記データファイルを作成するステップにおいて、前記記憶部から前記排気ガス成分の数値データを読み出し、当該排気ガス成分の数値データを表形式で表示させる記述を更に含む前記データファイルを作成する請求項１記載の部品情報提供方法。
【発明の詳細な説明】
【０００１】
【発明の属する技術分野】
本発明は、部品情報、特にエンジン等のように運転音で良品程度の判断が可能な部品情報の提供システムに適用して有効な技術に関する。
【０００２】
【従来の技術】
インターネットの急速な普及によって、自動車部品等の分野においても部品流通情報がＷＥＢを通じて行われ始めてきている。
【０００３】
このようなインターネット上での部品流通は、まず対象となる販売希望部品の部品名、型式、製品番号等をＷＥＢ上で公開し、これらの部品に対して購入希望者を募るのが一般的であった。
【０００４】
また、購入希望者が複数いた場合にはオークション等の落札方式を採用することも考えられている。
【０００５】
【発明が解決しようとする課題】
ところで、前記のような単なる部品名称や部品型式等の情報では購入希望者としてはその部品の程度がわからないため、購入決定がしづらく、部品提供者に対して電子メール等を用いてさらに詳細な部品情報の提供を申し出たり、場合によっては実際に部品所在地まで出向いて実際に当該部品を目視によって確認しなければ購入決定を判断できない場合が多かった。
【０００６】
そのため、このような部品提供サイトでは、当該部品の写真データ等も公開して購入希望者が部品程度をより知ることができるようにしているものもあった。
【０００７】
しかし、このような写真データを公開していても、部品の外観の良好度しか判断することができないことは明白であった。
【０００８】
たとえば、エンジン等の駆動系の主要部品の場合、外観は良好であっても内部の摩耗や損傷があるために、駆動に支障がある可能性もあり、従来のＷＥＢサイトによる部品情報の提供方式では、的確な部品情報が公開されているとはいえず、購入予定者に公開された部品に対する不信感を抱かせてしまい、部品流通が必ずしも促進される環境とはいえなかった。
【０００９】
本発明は、このような点に鑑みてなされたものであり、ＷＥＢサイトにおける部品情報をより的確に公開し、ネットワークによる部品流通を促進できる技術を提供することにある。
【００１０】
【課題を解決するための手段】
本発明は、購入予定者に対して部品情報を提供する部品情報提供サーバにおいて、販売対象部品の書誌データを入力し、当該販売対象部品が駆動部品であるときに、当該販売対象部品の駆動音をデータ化して入力し、前記販売対象部品の駆動音を前記書誌データと関連付けてユーザ端末からのアクセスに対して提供するものである。
【００１１】
このとき駆動音は、音声データとしてユーザ端末に送信（提供）してもよいし、この音声データをグラフ化した表示データをユーザ端末の表示装置に表示させるようにしてもよい。
【００１２】
このように、部品情報とともに駆動音の情報もユーザに伝えることができるため、ＷＥＢサイトにおける部品情報の開示がより正確になり、ネットワークを用いた部品流通を促進することができる。
【００１３】
なお、本解決手段はサーバプログラムによって実現することができ、当該プログラムは光学的、磁気的に読取り可能な媒体に格納することができ、ＣＤ−ＲＯＭ、ＭＯ、ＭＤ、フロッピーディスク、磁気テープ、磁気ディスク等あらゆる媒体を想定できる。
【００１４】
【発明の実施の形態】
【実施例】
図１は本発明の実施例の概念図である。
【００１５】
同図に示すように、ユーザ端末の表示装置（ＣＲＴ）上でユーザが販売対象部品の中から特定の中古エンジン（ＥＧ）を指定すると、当該中古エンジン（ＥＧ）のエンジン音（駆動音）がユーザ端末（ＵＴ）上で再生され、当該中古エンジン（ＥＧ）の排気ガス分析データが表形式で表示されるようになっている。また、当該中古エンジン（ＥＧ）のエンジン音は音声特性としてグラフ化されて表示されるようになっている。また、これとともに当該中古エンジン（ＥＧ）の新品状態におけるエンジン音の音声特性がグラフ化されてユーザ端末（ＵＴ）の表示装置（ＣＲＴ）上で表示されるようになっており、ユーザは当該販売対象物である中古エンジンのエンジン音を新品のそれと視覚的に比較することができるようになっている。
【００１６】
図２は、本実施例を実現するための情報収集系統を示したブロック図である。
【００１７】
販売対象部品であるエンジン（ＥＧ）を駆動させた状態で、マイク（ＭＣ）によりエンジン音を収集し、これをエンジン音入力部（ＳＤＩＮ）に入力し、さらにデータ生成部（ＳＤＡＮ）でデジタルデータ化する。これによって当該販売対象部品である中古エンジン（ＥＧ）の駆動音は、ＷＡＶ形式等のコンピュータにおける標準的な音声データ形式に変換される。
【００１８】
このように変換された音声データは数値データとしてＣＳＶファイルに変換されてもよい。ＣＳＶファイル形式とすることにより表計算プログラム等に取り込むことが容易となり、当該駆動音の音声特性をグラフ化することができる。
【００１９】
一方、当該エンジンの排気ガスは排気ガスセンサ（ＥＸＳ）により収集され、排気ガス分析部（ＥＸＡＮ）によりその成分が分析される。この分析結果はデータ生成部（ＥＸＤＧ）によりデータ化されて数値データ（ＣＳＶファイル形式）に変換される。これにより、当該販売対象部品であるエンジン（ＥＧ）の排気ガス成分がデータ化される。
【００２０】
図３は、本実施例のネットワーク構成を示す図である。
同図に示すように、本実施例は、部品情報提供サーバ（ＳＶ）と、ネットワーク（ＮＷ）と、ユーザ端末とで構成されている。
【００２１】
本実施例に適用されるネットワーク（ＮＷ）は汎用のＴＣＰ／ＩＰによるデータ転送システムであるインターネットであり、部品情報提供サーバ（ＳＶ）は汎用のコンピュータシステムで構成することができる。また、ユーザ端末（ＵＴ）はインターネットにアクセス可能な端末であればパーソナルコンピュータ、情報表示機能付携帯電話、あるいはＰＤＡ(Personal Data Assistant)等であってもよい。
【００２２】
部品情報提供サーバ（ＳＶ）は、バス（ＢＵＳ）を中心に通信インターフェース（Ｉ／Ｏ）、中央処理装置（ＣＰＵ）、メインメモリ（ＭＭ）、ハードディスク装置（ＨＤ）等で構成されている。また、入力装置としてキーボード（ＫＢＤ）、出力装置として表示装置（ＣＲＴ）が接続されている。
【００２３】
本実施例を実現するためのプログラムは前記ハードディスク装置（ＨＤ）にインストールされており、当該プログラムを中央処理装置（ＣＰＵ）がメインメモリ（ＭＭ）に一旦読み込んで順次実行することにより以下の処理が実行されるようになっている。
【００２４】
なお、図３では、マイク（ＭＣ）、排気ガスセンサ（ＥＸＳ）および排気ガス分析部（ＥＸＡＮ）がインターフェース（Ｉ／Ｏ）を介して直接部品情報提供サーバ（ＳＶ）に接続されているが、これらのエンジン音および排気ガス成分の収集は別のコンピュータシステムによって行ってもよい。
【００２５】
中央処理装置（ＣＰＵ）は、前記プログラムにしたがって、まず、販売対象部品である中古エンジン（ＥＧ）の書誌データの入力を受け付ける。この書誌データとは、当該中古エンジン（ＥＧ）の製品名、型式、製造年月日、製造番号等を意味する。これらの書誌データは、直接キーボード（ＫＢＤ）によって入力されてもよいし、データとしてネットワーク（ＮＷ）を介して別のコンピュータより入力されたものであってもよいし、さらにＣＤ−ＲＯＭあるいはフロッピーディスク（ＦＤ）等により入力済の形式で提供されてもよい。
【００２６】
次に、中央処理装置（ＣＰＵ）は、図２で示した当該中古エンジン（ＥＧ）の情報収集系統で得られたエンジン音の音声データ（ＷＡＶ）と、エンジン音および排気ガスのそれぞれの数値データ（ＣＳＶ）とを読み込む。
【００２７】
また、このときに当該中古エンジン（ＥＧ）に対応する新品のエンジンのエンジン音を図２に示した情報収集系統と同様のシステムを用いて収集し、新品データとして保持する。すなわち、新品エンジン（ＮＥＧ）のエンジン音、その数値データ、排気ガス成分データをハードディスク装置（ＨＤ）内に格納する。
【００２８】
次に、中央処理装置（ＣＰＵ）は、中古エンジン（ＥＧ）の書誌データと、音声データ（ＷＡＶ）と各数値データ（ＣＳＶ）とを関連付けたＨＴＭＬ(Hyper Text Mark-up Language)ファイルを生成する。このＨＴＭＬファイルはインターネットで汎用のフォーマット形式ファイルであり、ユーザ端末（ＵＴ）にインストールされたブラウザプログラムでダウンロードされることにより、フォーマット通りに書誌データが表示され、数値データがグラフ化され、かつ音声データが再生されるようになっている。
【００２９】
ユーザは、ユーザ端末（ＵＴ）を介して部品情報提供サーバ（ＳＶ）の所定のアドレス（URL:Uniform Resource Locator)を指定することによって前記ＨＴＭＬファイルをダウンロードすることができ、当該中古エンジン（ＥＧ）について、さらに表示された書誌データに関連付けられた音声データ、すなわちエンジン音を再生して聴取することができる。また、ユーザは、前記部品提供情報サーバ（ＳＶ）にアクセスした状態で新品エンジン（ＮＥＧ）のエンジン音をダウンロードし、新品エンジン（ＮＥＧ）と中古エンジン（ＥＧ）のエンジン音を聴取比較することにより、当該中古エンジンの程度を知ることができる。
【００３０】
また、これらのデータは数値化されているため、グラフによる音声特性として比較できるようにしてもよい。
【００３１】
なお、情報収集系統は図２に示したように、部品情報提供サーバ（ＳＶ）側に設けた場合で説明したが、ユーザ端末（ＵＴ）側に接続してもよい。
【００３２】
この場合、ユーザは自車のエンジン音データや排気ガスデータを部品情報提供サーバ（ＳＶ）に送信することにより、自車のエンジンの性能評価を受けることもできる。このとき、たとえばユーザはＩＣカードに自車のデータが格納されるようになっていれば、これらのデータと合わせて部品情報提供サーバ（ＳＶ）に対して性能評価を受けることが可能となる。
【発明の効果】
本発明によれば、部品情報とともに駆動音の情報もユーザに伝えることができるため、ネットワークを用いた部品流通を促進することができる。
【図面の簡単な説明】
【図１】  本発明の実施例のインターフェース画面を示す図
【図２】  実施例の情報収集系統を示すブロック図
【図３】  実施例のネットワークシステム構成図
【図４】  ユーザ端末を用いた性能評価のための説明図
【符号の説明】
ＳＶ  部品情報提供サーバ
ＣＰＵ  中央処理装置
ＭＭ  メインメモリ
Ｉ／Ｏ  インターフェース
ＨＤ  ハードディスク装置
ＭＣ  マイク
ＥＸＳ  排気ガスセンサ
ＥＸＡＮ  データ生成部
ＣＲＴ  表示装置
ＫＢＤ  キーボード
ＳＤＩＮ  エンジン音入力部
ＳＤＡＮ  データ生成部
ＮＷ  ネットワーク
【図１】
0004817508.tif 000002
【図２】
0004817508.tif 000003
【図３】
0004817508.tif 000004
【図４】
0004817508.tif 000005